(57)【要約】【課題】コスト増とならず、またボルト孔への連結ボルトの挿通作業をこれまで通り容易に行うことができると共に、建築用縦材及び建築用横材に対して安定的に連結される建築物用ブレース接合金具を提供すること。【解決手段】ベース板部４の中央部に接合板部５を突設し、この接合板部５の基端部の複数箇所にボルト案内用切欠部12を設け、このボルト案内用切欠部12の存するベース板部４の中央部にボルト孔８を設け、このボルト孔８は、一側を連結ボルト７のボルト杆部13の径寸法よりやや径大な連結用孔部15に形成し、他側を連結用孔部15より径大な挿通用径大孔部16に形成し、且つブレース金物３を介してベース板部４に引張力が作用した際の引張方向側に挿通用径大孔部16が配置し、反対側に連結用孔部15が配置する形状に構成する。【選択図】図１
2015148085.tif 000002
【特許請求の範囲】
【請求項１】
間隔を置いて並設する建築用縦材間、又は間隔を置いて並設する建築用横材間、又は直角あるいは傾斜状態に連結される建築用縦材と建築用横材との間にブレース金物を斜設状態に接合するための建築物用ブレース接合金具であって、前記建築用縦材又は前記建築用横材の周面部に当接するベース板部と、このベース板部に突設状態に設けられて前記ブレース金物の端部が接合される接合板部とから成り、前記ベース板部に、前記建築用縦材又は前記建築用横材に設けたボルト止着孔と連通させて連結ボルトを挿通するボルト孔を設け、前記接合板部に、前記ブレース金物の端部に設けたボルト通し孔と連通させて接合ボルトを挿通する接合孔を設けた建築物用ブレース接合金具において、前記ベース板部の中央部に前記接合板部を突設し、この接合板部の基端部の複数箇所を切欠すると共に、この切欠部の存するベース板部の中央部に前記ボルト孔を設けて、この切欠部を、前記ボルト孔に前記連結ボルトのボルト杆部を差し込み案内するためのボルト案内用切欠部とし、前記複数のボルト孔は、一側を前記連結ボルトのボルト杆部の径寸法と同等又はやや径大な連結用孔部に形成し、他側を前記連結用孔部より径大で且つ連結ボルトのボルト頭部より径小な挿通用径大孔部に形成して、このボルト孔の挿通用径大孔部に、前記接合板部の板面の側方から前記ボルト案内用切欠部を介して差し込み案内された前記連結ボルトのボルト杆部を斜め方向から挿通し得るように構成すると共に、この挿通用径大孔部に連結ボルトを挿通した後、連結ボルトのボルト杆部を挿通用径大孔部から前記連結用孔部へと移動し得るように構成し、この複数のボルト孔を、前記接合板部に接合した前記ブレース金物を介して前記ベース板部に引張力が作用した際のこの引張方向側に前記挿通用径大孔部が配置し、引張方向の反対側に前記連結用孔部が配置する形状に構成したことを特徴とする建築物用ブレース接合金具。
【請求項２】
前記案内用切欠部は、前記接合板部の板幅の両端付近の基端部に切欠形成し、この案内用切欠部が存する前記ベース板部の中央部に前記ボルト孔を設けたことを特徴とする請求項１記載の建築物用ブレース接合金具。
【請求項３】
前記連結ボルトのボルト杆部に装着して、この連結ボルトのボルト杆部を前記ボルト孔に挿通した際にこのボルト孔を覆う孔覆い座金を備えたことを特徴とする請求項１，２のいずれか１項に記載の建築物用ブレース接合金具。
【請求項４】
前記ベース板部は、このベース板部に前記引張力が作用した際のこの引張方向と反対側の部位の板幅を、引張方向側の部位の板幅より幅広に形成したことを特徴とする請求項１〜３のいずれか１項に記載の建築物用ブレース接合金具。
【発明の詳細な説明】
【技術分野】
【０００１】
本発明は、建築物に補強用のブレース金物を接合するための建築物用ブレース接合金具に関するものである。
【背景技術】
【０００２】
従来のこの種ブレース接合金具としては、図１０に示すように、建築用縦材１又は建築用横材の周面部に当接するベース板部30と、このベース板部30の中央部に突設状態に設けられブレース金物３の端部の羽子板部17が接合される接合板部31とから成る断面Ｔ字形の金具であって、前記ベース板部30の中央部にして前記接合板部31の存しない前記ベース板部30の両端部二箇所に、建築用縦材１又は建築用横材に設けたボルト止着孔６と連通させて連結ボルト７を挿通するボルト孔32が設けられ、前記接合板部31に、前記ブレース金物３の端部に設けたボルト通し孔と連通させて接合ボルト10を挿通する接合孔33が設けられたもの（以下、従来例１と称す。）が知られている。
【発明の概要】
【発明が解決しようとする課題】
【０００３】
上記従来例１は、前記接合板部31の存しないベース板部30の両端部の強度が最も弱く、この強度的に劣る箇所を連結ボルト７で建築用縦材１又は建築用横材に連結固定するから、ブレース金物３に引張力が作用してベース板部30に大きな曲げモーメントが作用した際には、ベース板部30の板厚（耐変形強度）が不十分であると、特にこの両端部分が変形して十分な接合強度を発揮できなくなってしまう懸念があった。
【０００４】
そこで、このような懸念を解消するために、ベース板部30の板厚を厚くすることによってベース板部30の耐変形強度を著しく向上させたもの（図１１参照。以下、従来例２と称す。）や、接合板部31の板幅をベース板部30の両端付近に至るまで幅広くする（接合板部31がベース板部30の補強の機能も果たすようにする）ことによってベース板部30の耐変形強度を著しく向上させたもの（図１１参照。以下、従来例３と称す。）も実施されているが、前記前者の従来例２にあっては、ベース板部30の板厚を厚くする分材料コストが従来例１より割高となり、また、前記後者の従来例３にあっては、接合板部31の板幅（図１１において上下の板幅）が広いためにこの接合板部31を避けた位置にボルト孔32を設けなければならず（ベース板部30の中央部にボルト孔32を設けることができず）、その結果、ボルト孔32が二箇所では足りず、ベース板部30の四隅部付近などの三箇所以上にボルト孔32を設けなければならないために、このボルト孔32の加工コストが従来例１より余分にかかると共に、多くの連結ボルト７を要する分施工コストも従来例１より割高になるという問題があった。尚、説明の都合上、図１１は従来例２と従来例３の双方の構成を兼ね備えたものを図示している。
【０００５】
本発明は、上記従来例１〜３が抱える問題点に注目し、これを解消しようとするもので、ベース板部の板厚をさほど厚くせずとも耐変形強度を安価に確保でき、ボルト孔の設置数も多くを必要とせずに建築用縦材又は建築用横への連結固定強度を確保でき、更にはボルト孔への連結ボルトの挿通作業をこれまで通り容易に行うことができると共に、ブレース金物を安定的に接合できる実用性に優れた建築物用ブレース接合金具を提供するものである。
【課題を解決するための手段】
【０００６】
添付図面を参照して本発明の要旨を説明する。
【０００７】
間隔を置いて並設する建築用縦材１間、又は間隔を置いて並設する建築用横材２間、又は直角あるいは傾斜状態に連結される建築用縦材１と建築用横材２との間にブレース金物３を斜設状態に接合するための建築物用ブレース接合金具Ａであって、前記建築用縦材１又は前記建築用横材２の周面部に当接するベース板部４と、このベース板部４に突設状態に設けられて前記ブレース金物３の端部が接合される接合板部５とから成り、前記ベース板部４に、前記建築用縦材１又は前記建築用横材２に設けたボルト止着孔６と連通させて連結ボルト７を挿通するボルト孔８を設け、前記接合板部５に、前記ブレース金物３の端部に設けたボルト通し孔９と連通させて接合ボルト10を挿通する接合孔11を設けた建築物用ブレース接合金具Ａにおいて、前記ベース板部４の中央部に前記接合板部５を突設し、この接合板部５の基端部の複数箇所を切欠すると共に、この切欠部12の存するベース板部４の中央部に前記ボルト孔８を設けて、この切欠部12を、前記ボルト孔８に前記連結ボルト７のボルト杆部13を差し込み案内するためのボルト案内用切欠部12とし、前記複数のボルト孔８は、一側を前記連結ボルト７のボルト杆部13の径寸法と同等又はやや径大な連結用孔部15に形成し、他側を前記連結用孔部15より径大で且つ連結ボルト７のボルト頭部14より径小な挿通用径大孔部16に形成して、このボルト孔８の挿通用径大孔部16に、前記接合板部５の板面の側方から前記ボルト案内用切欠部12を介して差し込み案内された前記連結ボルト７のボルト杆部13を斜め方向から挿通し得るように構成すると共に、この挿通用径大孔部16に連結ボルト７を挿通した後、連結ボルト７のボルト杆部13を挿通用径大孔部16から前記連結用孔部15へと移動し得るように構成し、この複数のボルト孔８を、前記接合板部５に接合した前記ブレース金物３を介して前記ベース板部４に引張力が作用した際のこの引張方向側に前記挿通用径大孔部16が配置し、引張方向の反対側に前記連結用孔部15が配置する形状に構成したことを特徴とする建築物用ブレース接合金具に係るものである。
【０００８】
また、前記案内用切欠部12は、前記接合板部５の板幅の両端付近の基端部に切欠形成し、この案内用切欠部12が存する前記ベース板部４の中央部に前記ボルト孔８を設けたことを特徴とする請求項１記載の建築物用ブレース接合金具に係るものである。
【０００９】
また、前記連結ボルト７のボルト杆部13に装着して、この連結ボルト７のボルト杆部13を前記ボルト孔８に挿通した際にこのボルト孔８を覆う孔覆い座金23を備えたことを特徴とする請求項１，２のいずれか１項に記載の建築物用ブレース接合金具に係るものである。
【００１０】
また、前記ベース板部４は、このベース板部４に前記引張力が作用した際のこの引張方向と反対側の部位の板幅を、引張方向側の部位の板幅より幅広に形成したことを特徴とする請求項１〜３のいずれか１項に記載の建築物用ブレース接合金具に係るものである。
【発明の効果】
【００１１】
本発明は上述のように構成したから、接合板部の基端部が存するベース板部の中央部にボルト孔を設けたために、ブレース金物に引張力が作用してもベース板部に大きな曲げモーメントが作用せず、よってベース板部は、それ単体で大きな曲げモーメントに耐え得る板厚である必要がないため、板厚を可能な限り薄くコスト安に設計することができ、また、ブレース金物を介して引張力が加わる接合板部位置を連結ボルトで連結固定できる構成であるから、ボルト孔（連結ボルト）が少数でも十分な連結固定強度を発揮でき、従って、本発明は、従来例１より安価に設計することも可能で且つ従来例１と同等の設置コストを実現可能となり、しかも、接合板部にボルト案内用切欠部を設けると共に、ボルト孔に連結ボルトを斜め方向から挿通可能な挿通用径大孔部を設けたことにより、接合板部（の基端部）とボルト孔とが双方ともベース板部の中央部に設けられる構成でありながら、接合板部が連結ボルトをボルト孔に挿通する際の邪魔にならず、この連結ボルト挿通作業を容易に行うことができ、その上、挿通用径大孔部に挿通した連結ボルトのボルト杆部は連結用孔部へと移動できると共に、この種ブレース金物には引張力しか生じないが、このブレース金物を介してベース板部に引張力が作用した際の引張方向側に挿通用径大孔部を配置し、引張方向の反対側に連結用孔部を配置する構成としたため、連結用孔部にボルト杆部を位置させた連結ボルトでベース板部を建築用縦材又は建築用横材の周面部に連結固定することにより、連結ボルトが挿通用径大孔部へと移動してしまうことがなく、それ故ボルト孔に挿通用径大孔部を有する構成でありながらもブレース金物の接合性能には何ら問題を生じることがないなど、施工性と接合性能を両立できる極めて実用性に優れた建築物用ブレース接合金具となる。
【００１２】
また、請求項２記載の発明においては、建築用縦材又は建築用横材に対して前記従来例１と同等の連結固定強度を発揮でき、しかも、材料コストや加工コストを従来例１より安価に設計できると共に、施工コストも従来例１と同等となるなど、一層実用性に優れた構成の建築物用ブレース接合金具となる。
【００１３】
また、請求項３記載の発明においては、ブレース金物を介してベース板部に引張力が作用した際に連結ボルトのボルト頭部に伝達される荷重を、ボルト孔を覆う孔覆い座金を介してこのボルト孔の全縁部で確固に支持できるので、このボルト孔の孔縁の変形を防止できて一層強固な接合性能を発揮できる極めて実用性に優れた構成の建築用ブレース接合金具となる。
【００１４】
また、請求項４記載の発明においては、ベース板部の耐変形強度を確保しつつ材料コストを効果的に削減でき、一層安価に設計実現可能となる実用性に優れた構成の建築物用ブレース接合金具となる。
【図面の簡単な説明】
【００１５】
【図１】実施例１の使用状態を示す部分拡大斜視図である。
【図２】実施例１とブレース金物との接合構造を示す斜視図である。
【図３】実施例１の使用状態及び実施例１のボルト孔を示す部分拡大正面図である。
【図４】図３のＡ−Ａ線断面で示した建築物用ブレース接合金具のボルト孔に、連結ボルトを挿通させた状態を示す説明平断面図である。
【図５】図３のＢ−Ｂ線断面図である。
【図６】実施例１の使用状態を示す概略説明正面図である。
【図７】実施例１の異なる使用状態を示す概略説明正面図である。
【図８】実施例２の使用状態を示す部分拡大斜視図である。
【図９】実施例２を示す正面図である。
【図１０】従来例１を示す正面図及び従来例１の使用状態を示す側面図である。
【図１１】従来例２，３を示す正面図及び従来例２，３の使用状態を示す側面図である。
【発明を実施するための形態】
【００１６】
好適と考える本発明の実施形態を、図面に基づいて本発明の作用を示して簡単に説明する。
【００１７】
ベース板部４を建築用縦材１又は建築用横材２の周面部に当接し、このベース板部４に設けたボルト孔８を、前記建築用縦材１又は前記建築用横材２に設けたボルト止着孔６と連通させて、このボルト孔８を介してボルト止着孔６に連結ボルト７を挿通止着すると、本発明の建築物用ブレース接合金具Ａが建築用縦材１又は建築用横材２の周面部に連結固定される。
【００１８】
次いで、本建築物用ブレース接合金具Ａの接合板部５に設けた接合孔11に、ブレース金物３の端部に設けたボルト通し孔９を連通させ、この連通する接合孔11とボルト通し孔９とに接合ボルト10を挿通すると、接合板部５にブレース金物３の端部が接合される。
【００１９】
このようにして、例えば、間隔を置いて左右に並設する建築用縦材１間、又は間隔を置いて上下あるいは前後あるいは左右に並設する建築用横材２間、又は直角あるいは傾斜状態に連結される建築用縦材１と建築用横材２との間に、ブレース金物３を斜設状態に接合する。
【００２０】
また、本発明の建築物用ブレース接合金具Ａは、ベース板部４の中央部に接合板部５を突設し、この接合板部５の基端部の複数箇所を切欠すると共に、この切欠部12の存するベース板部４の中央部にボルト孔８を設けて、この切欠部12を、前記ボルト孔８に連結ボルト７のボルト杆部13を差し込み案内するためのボルト案内用切欠部12とする。
【００２１】
従って、前記従来例１のように、接合板部31の存しないベース板部30位置にボルト孔32を設ける構成でなく、接合板部５の基端部の存する位置にボルト孔８を設けるから、ブレース金物３を介してベース板部４に引張力が作用すると、接合板部５がベース板部４を変形しないように拘束しているために、このベース板部４のボルト孔８位置には連結ボルト７を介して大きな曲げモーメントが作用しない（接合板部５がベース板部４の補強作用を果たしていることによってベース板部４のボルト孔８位置に変形を生じにくい。）。
【００２２】
よって、ベース板部４は、従来例２のようにそれ単体で大きな曲げモーメントに耐え得るような板厚を有する板に設計する必要がないから、従来例１より材料コスト安な（安価な）製品を設計することもでき、また、ボルト孔８をベース板部４の中央部に設けて、ブレース金物３の引張力が加わる接合板部５と同じ位置を連結ボルト７で連結固定できる構成であるから、ボルト孔８は従来例１と同様に二箇所程度でも十分な連結固定強度を発揮できる。
【００２３】
従って、本発明によれば、従来例３のように多くのボルト孔32とそれと同数の連結ボルト７を要することがないから、従来例１と同等又はより安価に設計することが可能で且つ従来例１と同等の設置コストを実現可能となる。
【００２４】
また、複数のボルト孔８への連結ボルト７の挿通作業は、前記ボルト案内用切欠部12を介して前記接合板部５の板面の側方から連結ボルト７のボルト杆部13を挿通用径大孔部16に斜め方向から挿通させると、この挿通用径大孔部16がボルト杆部13の径寸法より径大であるからボルト杆部13を傾けた状態で容易に挿通でき、連結ボルト７のボルト頭部14がボルト案内用切欠部12に位置するまでボルト杆部13を深く挿通したところで、ボルト頭部14をボルト案内用切欠部12内に位置させて連結ボルト７をボルト孔８に対して真っ直ぐに配置することができる（図４参照）。
【００２５】
従って、接合板部５（の基端部）とボルト孔８とが、双方ともベース板部４の中央部に設けられる構成でありながら、接合板部５が連結ボルト７をボルト孔８に挿通する作業の邪魔にならず、この連結ボルト７挿通作業が容易に行われる。
【００２６】
ボルト孔８に連結ボルト７を挿通した後は、ボルト杆部13を連結用孔部15に移動させてから連結ボルト７をボルト止着孔６に挿通止着する。すると、この連結用孔部15が連結ボルト７のボルト杆部13の径寸法と同等又はやや径大であるから、連結ボルト７に対して連結用孔部15（が設けられたベース板部４）がガタつきにくく、従って本建築物用ブレース接合金具Ａが建築用縦材１又は建築用横材２の周面部に安定的に連結固定されることになる。
【００２７】
また、本発明の複数の前記ボルト孔８は、前記接合板部５に接合した前記ブレース金物３を介して前記ベース板部４に引張力が作用した際のこの引張方向側に前記挿通用径大孔部16が配置し、引張方向の反対側に前記連結用孔部15が配置する形状に構成する。
【００２８】
即ち、この種ブレース金物３には引張力しか生じないが、このブレース金物３を介してベース板部４に引張力が作用した際の引張方向側に挿通用径大孔部16を配置し、引張方向の反対側に連結用孔部15を配置する構成としているから、連結用孔部15に位置させた連結ボルト７のボルト杆部13は、ブレース金物３を介してベース板部４が引っ張られても、挿通用径大孔部16へと移動することはない（連結ボルト７に対しベース板部４がガタつきにくい状態が維持されることになる。）。
【００２９】
従って、本建築物用ブレース接合金具Ａは、ボルト孔８に挿通用径大孔部16を有する構成でありながら、ブレース金物３の接合性能には何ら問題を生じない。
【実施例１】
【００３０】
本発明の具体的な実施例１について図１〜図７に基づいて説明する。
【００３１】
本実施例は、柱などの建築用縦材１又は梁などの建築用横材２の周面部に当接するベース板部４と、このベース板部４に突設状態に設けられて前記ブレース金物３の端部が接合される接合板部５とから成る断面Ｔ字状の建築物用ブレース接合金具Ａであって、前記ベース板部４に、前記建築用縦材１又は前記建築用横材２に設けたボルト止着孔６と連通させて連結ボルト７を挿通するボルト孔８を設け、前記接合板部５に、前記ブレース金物３の端部に設けたボルト通し孔９と連通させて接合ボルト10を挿通する接合孔11を設けている。
【００３２】
具体的には、本実施例のベース板部４は、図１，図２に示すような略長方形状の金属板材で構成し、このベース板部４の長さ方向を、前記建築用縦材１又は前記建築用横材２の長さ方向に合致させた状態で建築用縦材１又は建築用横材２の周面部に当接させることができるように構成している。
【００３３】
また、このベース板部４は、その長さ方向の両端部寄り位置の二箇所であって、このベース板部４の長さ方向と直交する短手方向の中央部に、丸孔形状の前記ボルト孔８を貫通形成している。
【００３４】
また、このベース板部４の、前記建築用縦材１又は前記建築用横材２の周面部への連結構造について説明すると、建築用縦材１又は建築用横材２は、その対向周面部間を貫通するようにしてボルト止着孔６を形成すると共に、このボルト止着孔６を、前記ボルト孔８に対応させて間隔を置いた二箇所に形成したものを使用し、このボルト止着孔６に挿通する前記連結ボルト７は、ボルト止着孔６の孔長より長いボルト杆部13を有するものを使用する。この連結ボルト７を、ベース板部４の前記ボルト孔８に挿通させた上で、連結ボルト７のボルト杆部13を建築用縦材１又は建築用横材２のボルト止着孔６にその一方側から挿通し、ボルト止着孔６の他方側から貫通突出するボルト杆部13の先端部に、座金20と共に止着用ナット21を螺着して締付することでベース板部４を建築用縦材１又は建築用横材２の周面部に連結固定する構造としている。
【００３５】
また、本実施例の接合板部５は、図１〜図３及び図５に示すように、前記ベース板部４の長さ幅よりやや短い板幅（図１〜図３及び図５において上下方向の板幅）を有する金属板材で構成し、この接合板部５の基端部を、前記ベース板部４の短手方向の中央部をベース板部４の長さ方向に結んだ直線上に位置するように配してベース板部４に付設（溶接固定）した構成としている。即ち、本実施例では、前記ベース板部４の中央部に、このベース板部４の両端付近に至る幅広な前記接合板部５を突設した構成とし、これにより接合板部５がベース板部４を変形しないように拘束する補強機能を発揮する構成としている。
【００３６】
従って、この接合板部５の補強作用により、ベース板部４はその板厚を薄くしてコスト安な構成に設計することが可能となる構成としている。本実施例では、ベース板部４の板厚を、前記従来例１のベース板部４の板厚より薄い６ｍｍ程度の板厚に設定して、従来例１より安価に提供可能な製品を構成した場合を示している。
【００３７】
また、この接合板部５は、その基端部の、前記二箇所のボルト孔８に対応する両端付近の二箇所を方形状に切欠形成すると共に、この切欠部12を、前記ボルト孔８に前記連結ボルト７のボルト杆部13を差し込み案内するためのボルト案内用切欠部12としている。
【００３８】
また、この接合板部５は、前記ベース板部４に対する突出先端部が側面視で（接合板部５の板面を見る方向から見て）略三角形状（山形状）を呈する構成とすると共に、突出先端部の頂角部付近に丸孔形状の前記接合孔11を貫通形成している。
【００３９】
また、この接合板部５への、前記ブレース金物３端部の接合構造は、接合板部５にブレース金物３の端部（の羽子板部17）を重合すると共に、前記接合孔11にブレース金物３の端部に設けたボルト通し孔９を連通させ、この連通させた接合孔11とボルト通し孔９に接合ボルト10を挿通し、接合ボルト10のボルト先端に座金22を介してナット19を螺着して締付固定することで接合する構造としている。
【００４０】
また、ここで、本実施例のブレース金物３について説明すると、長尺鋼棒18の両端部に帯状の羽子板部17を付設し、この両端部の羽子板部17に丸孔形状のボルト通し孔９を貫通形成したものを採用している。
【００４１】
本実施例は、前記二箇所に設けたボルト孔８を、いずれもその一側を前記連結ボルト７のボルト杆部13の径寸法と同等又はやや径大となる連結用孔部15に形成し、他側を前記連結用孔部15より径大で且つ連結ボルト７のボルト頭部14より径小な挿通用径大孔部16に形成して、このボルト孔８の挿通用径大孔部16に、前記接合板部５の板面の側方から前記ボルト案内用切欠部12を介して差し込み案内された前記連結ボルト７のボルト杆部13を斜め方向から挿通し得るように構成すると共に、この挿通用径大孔部16に連結ボルト７を挿通した後、連結ボルト７のボルト杆部13を挿通用径大孔部16から前記連結用孔部15へと移動し得るように構成している。
【００４２】
具体的には、ボルト孔８は、略正円形の連結用孔部15とこの連結用孔部15の径幅に対して約１.５倍の径幅を有する長円形の挿通用径大孔部16とがベース板部４の長さ方向（接合板部５の板幅方向）に並設するダルマ形（図３では上下反転したダルマ形）の貫通孔に形成している。
【００４３】
また、この二箇所のボルト孔８は、前記接合板部５に接合した前記ブレース金物３を介して前記ベース板部４に引張力が作用した際のこの引張方向側に前記挿通用径大孔部16が配置し、引張方向の反対側に前記連結用孔部15が配置する向きにして使用する構成とし、これにより、連結ボルト７を挿通用径大孔部16に挿通した後、連結用孔部15に移動させて連結ボルト７によりベース板部４を建築用縦材１又は建築用横材２に連結固定すると、このようにして固定された本建築物用ブレース接合金具Ａ間に斜設状態に接合されたブレース金物３には引張力しか生じないが、このブレース金物３を介してベース板部４に引張力が作用した際には、ベース板部４が引っ張られることによって連結ボルト７のボルト杆部13が連結用孔部15から挿通用径大孔部16へと移動することがなく、このボルト杆部13が連結用孔部15に位置する状態が維持される（連結ボルト７に対しベース板部４がガタつきにくい状態が維持されることになる）構成としている。
【００４４】
また、本実施例では、前記連結ボルト７のボルト杆部13に装着して、この連結ボルト７のボルト杆部13を前記ボルト孔８に挿通した際にこのボルト孔８を覆う孔覆い座金23を備えている。
【００４５】
具体的には、この孔覆い座金23は、この孔覆い座金23を装着した連結ボルト７のボルト杆部13を前記連結用孔部15に位置させた状態で、前記挿通用径大孔部16も含めたボルト孔８の全域が覆い閉塞される径寸法を有する円板状座金に構成している。
【００４６】
即ち、連結ボルト７のボルト杆部13を連結用孔部15に位置させた上で、前記止着用ナット21を締付して建築物用ブレース接合金具Ａを建築用縦材１又は建築用横材２の周面部に連結固定すると、孔覆い座金23の全周がボルト孔８の孔縁全縁に密着当接した状態となってこのボルト孔８が孔覆い座金23によって完全に覆い閉塞される構成としている。
【００４７】
従って、この孔覆い座金23がないと、連結ボルト７のボルト頭部14は、実質的に挿通用径大孔部16の孔縁には当接せず、連結用孔部15の孔縁にのみ当接する状態となることから、ブレース金物３を介してベース板部４に引張力が作用した際に連結ボルト７のボルト頭部14に伝達される荷重がこの当接部位に集中し、これにより連結用孔部15の孔縁が凹むように変形してブレース金物３の十分な接合強度を発揮できなくなってしまう懸念があるが、孔覆い座金23を備えた本実施例によれば、ブレース金物３を介してベース板部４に引張力が作用した際に連結ボルト７のボルト頭部14に伝達される荷重を、孔覆い座金23を介してこのボルト孔８の全縁部で確固に支持できるので、このボルト孔８の孔縁の変形を良好に防止でき、極めて強固なブレース金物３の接合性能を発揮できる構成としている。
【００４８】
次に、上述のように構成した本実施例の建築物用ブレース接合金具Ａの施工方法を説明する。
【００４９】
ベース板部４を建築用縦材１又は建築用横材２の周面部に当接し、このベース板部４に設けたボルト孔８を、前記建築用縦材１又は前記建築用横材２に設けたボルト止着孔６と連通させて、このボルト孔８を介してボルト止着孔６に連結ボルト７を挿通し、ボルト止着孔６から突出する連結ボルト７のボルト杆部13の先端部に座金20と共に止着用ナット21を螺着し締付することで、建築物用ブレース接合金具Ａを建築用縦材１又は建築用横材２の周面部に連結固定する。
【００５０】
また、この際、連結ボルト７には、予め孔覆い座金23を装着しておき、この連結ボルト７のボルト杆部13を、前記ボルト案内用切欠部12に前記接合板部５の板面の側方から通して挿通用径大孔部16に斜め方向から挿通させると、この挿通用径大孔部16がボルト杆部13の径寸法より径大であるからボルト杆部13を傾けた状態で容易に挿通することができる。そして、連結ボルト７のボルト頭部14がボルト案内用切欠部12に位置するまでボルト杆部13を深く挿通したところで、ボルト頭部14をボルト案内用切欠部12内に位置させて連結ボルト７を挿通用径大孔部16（ボルト孔８）に対して真っ直ぐに配置することができる（図４参照）。そして、連結ボルト７をボルト孔８（の挿通用径大孔部16）に挿通した後、連結ボルト７のボルト杆部13が連結用孔部15に位置するようにベース板部４を建築用縦材１又は建築用横材２の周面部に対して移動させた上で、前記止着用ナット21を締付して建築物用ブレース接合金具Ａを建築用縦材１又は建築用横材２の周面部に連結固定する（ボルト杆部13を連結用孔部15に配置することでベース板部４がガタつかないようにして連結固定する。）。
【００５１】
次いで、建築物用ブレース接合金具Ａの接合板部５にブレース金物３の端部の羽子板部17を重合すると共に、接合板部５の接合孔11と羽子板部17のボルト通し孔９とを連通させ、この連通する接合孔11とボルト通し孔９とに接合ボルト10を挿通し、このボルト先端に座金22を介してナット19を螺着し締付すると、接合板部５にブレース金物３の端部（羽子板部17）を接合できる。
【００５２】
図６，図７は、本実施例の具体的な使用例を示している。
【００５３】
図６は、間隔を置いて左右に並設する柱材１（建築用縦材１）の対向周面部の上下部に本建築物用ブレース接合金具Ａを連結固定し、図面右上と左下の建築物用ブレース接合金具Ａ間と、図面左上と右下の建築物用ブレース接合金具Ａ間とに夫々ブレース金物３を斜設状態に架設した補強構造を示している。また、図面右側の柱材１には、この柱材１の対向周面部に建築用ブレース接合金具Ａを背中合わせに配設固定（いずれか一方の建築用ブレース接合金具Ａのベース板部４を座金20代わりにして連結ボルト７で固定）した場合を示している。
【００５４】
また、図７は、柱材１（建築用縦材１）の上側の周面部と、この柱材１の途中に連結した片持ち梁材２（建築用横材２）の突出外端部の周面部とに本建築物用ブレース接合金具Ａを連結固定し、この双方の建築物用ブレース接合金具Ａ間とにブレース金物３を斜設状態に架設した片持ち梁の補強構造を示している。
【００５５】
その他、例えば、間隔を置いて上下あるいは前後あるいは左右に並設する建築用横材２（並設する建築用横材２は、例えば、互いに水平の位置関係で並設するものでも良いし、互いに段違いの位置関係で並設するものでも良い。また、並設する建築用横材２の関係は双方が水平でも、双方が傾斜状態でも、一方が水平で他方が傾斜状態でも良く、更に、双方が互いに平行関係で設置されるものでも非平行の関係で設置されるものでも良い。）間にブレース金物３を斜設状態に架設することや、建築用縦材１とこの建築用縦材１に対して傾斜方向に連結された建築用横材２との間にブレース金物３を架設することにも本建築物用ブレース接合金具Ａは使用可能である。
【実施例２】
【００５６】
本発明の具体的な実施例２について図８，図９に基づいて説明する。
【００５７】
本実施例は、前記実施例１において、ベース板部４の形状を異ならせた場合である。
【００５８】
具体的には、本実施例のベース板部４は、図８，図９に示すように、このベース板部４に前記接合板部５に接合した前記ブレース金物３を介して前記ベース板部４に引張力が作用した際のこの引張方向と反対側の部位の板幅を、引張方向側の部位の板幅より幅広に形成している。
【００５９】
更に詳しくは、前記実施例１において、ベース板部４の長さ方向の中ほどより前記挿通用径大孔部16が存する側の短手方向幅を、連結用孔部15が存する側の短手方向幅より小さく設定して、ベース板部４の材料コストを実施例１のそれより削減した場合である。
【００６０】
即ち、ベース板部４の長さ方向の中ほどより連結用孔部15が存する側は、前記引張力が作用した際の耐力を必要とするため板幅（耐力）を確保し、この耐力を確保しつつさほどの耐力を要しない挿通用径大孔部16が存する側の板幅を小さくしてベース板部４の材料を節約し、前記実施例１よりコスト安に構成した場合である。
【００６１】
他の構成は、前記実施例１と同様である。
【００６２】
尚、本発明は、実施例１，２に限られるものではなく、各構成要件の具体的構成は適宜設計し得るものである。
【符号の説明】
【００６３】
１  建築用縦材
２  建築用横材
３  ブレース金物
４  ベース板部
５  接合板部
６  ボルト止着孔
７  連結ボルト
８  ボルト孔
９  ボルト通し孔
10  接合ボルト
11  接合孔
12  ボルト案内用切欠部
13  ボルト杆部
14  ボルト頭部
15  連結用孔部
16  挿通用径大孔部
23  孔覆い座金
Ａ  建築物用ブレース接合金具
【図１】
2015148085.tif 000003
【図２】
2015148085.tif 000004
【図３】
2015148085.tif 000005
【図４】
2015148085.tif 000006
【図５】
2015148085.tif 000007
【図６】
2015148085.tif 000008
【図７】
2015148085.tif 000009
【図８】
2015148085.tif 000010
【図９】
2015148085.tif 000011
【図１０】
2015148085.tif 000012
【図１１】
2015148085.tif 000013